【手続補正書】
【提出日】平成16年1月9日(2004.1.9)
【手続補正１】
【補正対象書類名】特許請求の範囲
【補正対象項目名】全文
【補正方法】変更
【補正の内容】
【特許請求の範囲】
【請求項１】
有用データに関連付けられ、第１の地域固有特徴パラメータを少なくとも一つ含む第１補助データとともに複数の有用データも含むデジタルデータを送信するために構成された複数の送信機（１２）と、
少なくとも１つの第２の地域固有特徴パラメータを明記可能とする所在地規格部（４０）と、前記有用データが供給される出力（５８）とを備え、前記デジタルデータを受信するために構成された受信機（１４）とを含み、
前記受信機（１４）はさらに：  
前記第２の地域固有特徴パラメータで関連付けられる補助データに含まれる前記第１の地域固有特徴パラメータの相関度に対応する前記有用データに機能を関連付ける機能結合部（５２）を備え、
前記有用データで関連づけられた前記機能によって、異なる放送領域のグループに複数の前記送信機を分割し、前記グループからユーザーによって前記送信機が選択できることを特徴とする送信受信システム。
【請求項２】
前記第２の地域固有特徴パラメータが、前記受信機（１４）が設置された所在地、或いはユーザーによって任意に選択された所在地に対応付けられていることを特徴とする請求項１に係る送信受信システム。
【請求項３】
前記第２の補助データは有用データに関連付けられ、
受信機（１４）は、第２の補助データを検知して前記有用データを抽出可能とする少なくとも１つのフィルタ部（５６ａ、５６ｂ）を含んでいることを特徴とする請求項１又は２に係る送信受信システム。
【請求項４】
前記第２の補助データは、ＴＶ放送形式や音楽放送形式の表示、及び／又はインターネット・ホームページの表示  、及び／又はコマーシャルとイベントの表示と関連付けられていることを特徴とする請求項１乃至３のいずれかに係る送信受信システム。
【請求項５】
前記受信機（１４）のオペレーターは、各フィルタ部（５６ａ、５６ｂ）を指定することができることを特徴とする請求項３又は４のいずれかに係る送信受信システム。
【請求項６】
前記受信機（１４）は、さらに前記有用データに関連付けられた表示を提示可能な表示装置（４４）を含むことを特徴とする請求項１乃至５のいずれかに係る送信受信システム。
【請求項７】
前記有用データに関連付けられた前記表示は、有用データに関連付けられた機能に応じて表示装置（４４）上に提示されることを特徴とする請求項６に係る送信受信システム。
【請求項８】
前記有用データに関連付けられた前記機能は、該有用データに関連付けられた前記表示を、前記表示装置（４４）上に提示するかどうか、及び該表示装置（４４）上の何処に表示するかについての命令を含むことを特徴とする請求項１乃至７のいずれかに係る送信受信システム。
【請求項９】
前記受信機（１４）はさらに、前記表示装置（４４）や、第２の地域固有特徴パラメータ、及び／又は機能結合部（５２）の規格、及び／又は少なくとも１つのフィルタ部（５６ａ、５６ｂ）、と協動する入力装置（４２）を含むことを特徴とする請求項６乃至８のいずれかに係る送信受信システム。
【請求項１０】
前記デジタルデータは、衛星放送（１８、２０、２２）、ケーブル送信（２８）、インターネット送信（３２）或いは地上放送（３６）によって受信機（１４）に送信されることを特徴とする請求項１乃至９のいずれかに係る送信受信システム。
【請求項１１】
前記受信機（１４）はＤＶＢ受信機であることを特徴とする請求項１乃至１０のいずれかに係る送信受信システム。
【請求項１２】
前記有用データはオーディオ信号及び（又は）ビデオ信号を含み、コマーシャル及び（又は）イベント表示を含んでいることを特徴とする請求項１乃至１１のいずれかに係る送信受信システム。
【請求項１３】
請求項１乃至１２のいずれかに係る送信受信システムのための送信機（１２）。
【請求項１４】
請求項１乃至１２のいずれかに係る送信受信システムのための受信機（１４）。
【請求項１５】
少なくとも１つの送信機（１２）から少なくとも１つの受信機（１４）に対してデジタルデータを送信する方法であって；
ａ）  第１補助データに少なくとも１つの第１の地域固有特徴パラメータを含ませるとともに、送信される有用データに、該第１補助データを関連付けるステップと；
ｂ）  少なくとも１つの送信機（１２）によって、前記有用データ及び前記関連付けられた第１補助データを送信するステップと；
ｃ）  少なくとも１つの受信機（１４）によって、前記有用データ及び前記関連付けられた第１補助データを受信するステップと；
ｄ）前記受信機（１４）において、受信された前記第１補助データに含まれる第１の地域固有特徴パラメータと、受信機（１４）の所在地規格部（４０）において指定された第２の地域固有特徴パラメータとを関連付けるステップと；
ｅ）前記相関度に従って、前記関連付けられた有用データに機能を関連付けるステップと
ｆ）前記有用データで関連づけられた機能に基づいて異なる放送領域のグループに複数の送信機を分割し、前記グループからユーザーによって前記送信機が選択できるステップ
を含むことを特徴とするデジタルデータの送信方法。
【手続補正２】
【補正対象書類名】明細書
【補正対象項目名】０００１
【補正方法】変更
【補正の内容】
【０００１】
本発明は、添付の請求項１５に従ったデジタルデータを送信する方法とともに、添付の請求項１に従った送信受信システムに関連する。この様な送信受信システム及び方法は、英国特許出願公開第２３４４００９号明細書において詳細に理解される。
【手続補正３】
【補正対象書類名】明細書
【補正対象項目名】０００６
【補正方法】変更
【補正の内容】
【０００６】
例えば、衛星によるラジオの場合、ＤＶＢ受信機のユーザーは、数百ものラジオ放送局の中から選択し、視聴することができる。ところが、次の問題が存在する：
トランスミッターに関し、都市の一地域のみを網羅する地方送信ステーションは、広域サービスを展開するいくつかのラジオ局ほど名前が知られていないため、それらに淘汰される危険が存在する。ＤＶＢ受信機のユーザーにとっては、ユーザーが受信したいと望む番組を選択できるように、多くの放送局を見なければならないという問題がある。
既に述べた英国特許出願公開第２３４４００９号明細書は、送信されたデータを受信する装置を記載しており、ここでこの受信機は、情報フィルタを備えている。この情報フィルタによって、選択されたデータのみ通過させることができ、ここで送信されたデータの一部は、予め定義可能な基準に従ってフィルタ出力される。ここで、その他の点について、この基準とは、送信されたデータを受信する位置である。これは、受信機が備えられた位置に関連した送信されたデータのみ、受信機からユーザーに通過されることを意味する。ユーザーは、特に個人のプロファイルに関して、希望に添った基準を条件として指定することができる。
更に、米国特許第５５６５９０９号明細書は、どのように地理的なデータがフィルタされるか、様々な可能性を記載している。上記の結果、領域の範囲内のユーザーで異なる情報の利益は満たされ、それは地理的特性のために発生する。例えば、満潮または強い風についての情報は、川でまたは住宅団地の西部で住んでいる人にのみ関連し、それに帰属する。この特別な地理的情報は、たとえば、同じ町において放送される場合であっても、人々の特別な集団にとって興味があるだけである。この文書は、それらに関連する情報だけをユーザーに提供するフィルタを目的とする。
【手続補正４】
【補正対象書類名】明細書
【補正対象項目名】０００８
【補正方法】変更
【補正の内容】
【０００８】
本発明によれば、この目的は、請求項１５に記載の特徴を備えるデジタルデータ送信方法とともに、請求項１に記載の特徴を備える送信受信システムによって実現される。
【手続補正５】
【補正対象書類名】明細書
【補正対象項目名】００１７
【補正方法】変更
【補正の内容】
【００１７】
基本的な利点は、特に公的な大手ＴＶ会社及び私的なＴＶ会社のために存在し、それらがいくつかの地方商用ブロックで同時にスイッチングされる場合、ユーザーによって選択されたものが、ＤＶＢ受信機によって表示される。これによれば、選択的に広告することができ、放送時間割り当ての代価をより少なくすることができ、テレビジョン送信機へのコマーシャル放送をするようなある地域にのみ展開する会社にとっても利益をもたらす。
【手続補正６】
【補正対象書類名】明細書
【補正対象項目名】００１８
【補正方法】変更
【補正の内容】
【００１８】
本発明の第２及び第３の特徴では、本発明に係る送信受信システムにおいて、対応する受信機とともに使用されるために構成される送信機に関する。